(57)【要約】【課題】簡易な構成によって、コネクタへの入射電磁波ノイズやコネクタからの放射電磁波ノイズに対するシールド作用や特性インピーダンスの調整作用を良好とする。【解決手段】コンタクト列のコンタクト１２のうちの少なくとも一体を、グランド回路形成用のグランドプレート１３に電気接続するグランド接続部材１４を設け、そのグランド接続部材１４を介してグランドプレート１３に接続したコンタクト１２をグランドコンタクト１２Ａとして機能させ、その取付け位置や数を変更することによってグランド回路接続経路の短縮化などの最適化を可能とし、コネクタへの入射電磁波ノイズやコネクタからの放射電磁波ノイズに対する良好なシールド作用や特性インピーダンス調整作用を容易に得るとともに、信号伝送コンタクトとグランド回路形成コンタクトとを同一形状又は構造とすることを可能として生産性の向上を図るように構成したものである。【選択図】図４
2011146210.tif 000002
【特許請求の範囲】
【請求項１】
絶縁ハウジングに複数のコンタクトが多極状に取り付けられることによりコンタクト列が形成されているとともに、
そのコンタクト列に沿うように配置されたグランドプレートを介してグランド回路を形成するように構成された電気コネクタにおいて、
前記コンタクト列を形成している複数のコンタクトのうちの少なくとも一体を前記グランドプレートに電気的に接続するグランド接続部材が設けられていることを特徴とする電気コネクタ。
【請求項２】
前記コンタクト列が、互いに対面するようにして二列にわたって配置され、それら二列のコンタクト列の間に、前記グランドプレートが配置されていることを特徴とする請求項１記載の電気コネクタ。
【請求項３】
前記グランド接続部材が、前記グランドプレートに対して圧入により取り付けられていることを特徴とする請求項１記載の電気コネクタ。
【請求項４】
前記グランド接続部材には、前記グランドプレートに対する圧入係合部が設けられていることを特徴とする請求項３記載の電気コネクタ。
【請求項５】
前記グランド接続部材は、前記絶縁ハウジングにインサート成形されていることを特徴とする請求項１記載の電気コネクタ。
【請求項６】
前記グランド接続部材は、弾性変形可能に形成された片持ち状のアーム部材を介して前記コンタクト及びグランドプレートに圧接されるように構成されていることを特徴とする請求項１記載の電気コネクタ。
【請求項７】
前記片持ち状のアーム部材の自由端側部分に、前記コンタクト及びグランドプレートに圧接される接点部が設けられていることを特徴とする請求項６記載の電気コネクタ。
【請求項８】
前記グランドプレートには、前記グランド接続部材を挿入して保持する固定溝が設けられていることを特徴とする請求項１記載の電気コネクタ。
【発明の詳細な説明】
【技術分野】
【０００１】
本発明は、グランドプレートを介してグランド回路を形成するようにした電気コネクタに関する。
【背景技術】
【０００２】
一般に、種々の電気機器等において使用されている電気コネクタは、プリント配線基板（ＰＣＢ）やフレキシブルプリント基板（ＦＰＣ）などの配線基板どうしや、同軸ケーブル等の信号伝送媒体と配線基板とを電気的に接続するように構成されているが、例えば、一方の配線基板又は信号伝送媒体にプラグコネクタを接続するとともに、他方の配線基板上にリセプタクルコネクタを実装しておき、それらの両コネクタに設けられた嵌合凸部と嵌合凹部とを互いに嵌合させるようにしている。
【０００３】
下記の特許文献１に開示された電気コネクタは、配線基板と配線基板とを接続するように構成されたものであるが、絶縁ハウジングの嵌合凸部に複数のコンタクトが多極状をなすように取り付けられており、その複数のコンタクトにより構成されるコンタクト列が二列にわたって形成されている。そして、それら二列のコンタクト列の間部分に、グランド回路を形成するためのグランドプレートが配置されている。このグランドプレートは、金属板状部材から形成されていて、その長手方向両端部に設けられた接地片の各々が、配線基板上のグランドラインに対して電気的に接続されることによってグランド接続が行われるようになっている。
【０００４】
ところが、このようにグランドプレートの長手方向両端にグランド回路の接地片を設けた電気コネクタにおいては、グランド回路の経路長、特にグランドプレートの長手方向中央位置から両端の接地片までの距離が大きくなってしまい、コネクタに入射する電磁波ノイズやコネクタから放射される電磁波ノイズに対する十分なシールド作用が得られなくなったり、複数のコンタクトについての特性インピーダンスの調整作用が不安定になるなどの問題が発生するおそれがある。
【先行技術文献】
【特許文献】
【０００５】
【特許文献１】特開平１０−１０６６８４号公報
【発明の開示】
【発明が解決しようとする課題】
【０００６】
そこで本発明は、簡易な構成で、コネクタに入射する電磁波ノイズやコネクタから放射される電磁波ノイズに対するシールド作用や複数のコンタクトについての特性インピーダンスの調整作用を良好に得ることができるようにした電気コネクタを提供することを目的とする。
【課題を解決するための手段】
【０００７】
上記目的を達成するため本発明にかかる電気コネクタでは、絶縁ハウジングに複数のコンタクトが多極状に取り付けられることによりコンタクト列が形成されているとともに、そのコンタクト列に沿うように配置されたグランドプレートを介してグランド回路を形成するように構成された電気コネクタにおいて、前記コンタクト列を形成している複数のコンタクトのうちの少なくとも一体を前記グランドプレートに電気的に接続するグランド接続部材が設けられた構成になされている。
【０００８】
このような構成を有する電気コネクタによれば、コンタクト列を構成している複数のコンタクトのうちのグランド接続部材を介してグランドプレートに接続されているものが、グランド回路を形成するコンタクト、すなわちグランドコンタクトとして機能することとなる。従って、グランド接続部材の取付け位置や数を適宜に変更することにより、グランド回路の接続経路の短縮化などの最適化が可能となって、コネクタに入射する電磁波ノイズやコネクタから放射される電磁波ノイズに対する良好なシールド作用や複数のコンタクトについての特性インピーダンス調整作用が容易に得られることとなる。また、信号伝送用のシグナルコンタクトとグランド回路形成用のグランドコンタクトとを、同一の形状又は構造とすることが可能となるため、生産性の向上が図られる。
【０００９】
このとき、本発明における前記コンタクト列は、互いに対面するようにして二列にわたって配置され、それら二列のコンタクト列の間に、前記グランドプレートが配置された構成とすることが可能である。
【００１０】
また、本発明においては、前記グランド接続部材が、前記グランドプレートに対して圧入により取り付けられた構成とすることが可能であるが、そのときのグランド接続部材には、前記グランドプレートに対する圧入係合部が設けられていることが望ましい。
【００１１】
このような構成を有する電気コネクタによれば、グランドプレートに対して圧入された接続部材が確実に固定される。
【００１２】
このとき、本発明における前記グランド接続部材は、前記絶縁ハウジングにインサート成形されたものとすることが可能である。
【００１３】
また、本発明においては、前記グランド接続部材は、弾性変形可能に形成された片持ち状のアーム部材を介して前記コンタクト及びグランドプレートに圧接される構成になされていて、その片持ち状のアーム部材の自由端側部分に前記コンタクト及びグランドプレートに圧接される接点部が設けられていることが望ましい。
【００１４】
このような構成を有する電気コネクタによれば、コンタクト及びグランドプレートに対して、グランド接続部材の片持ち状アーム部材に設けられた接点部が電気的に安定した状態で接続される。
【００１５】
さらに、本発明においては、前記グランドプレートに、前記グランド接続部材を挿入して保持する固定溝が設けられていることが望ましい。
【００１６】
このような構成を有する電気コネクタによれば、グランド接続部材の取付けた状態において、グランドプレートの固定溝以外の部位を、当該固定溝に沿って延長・拡大することが可能となり、その分、コネクタに入射する電磁波ノイズやコネクタから放射される電磁波ノイズに対するシールド作用や複数のコンタクトについての特性インピーダンスの調整作用が向上されることとなる。
【発明の効果】
【００１７】
以上述べたように本発明にかかる電気コネクタは、絶縁ハウジングに多極状に取り付けることによりコンタクト列を構成する複数のコンタクトのうちの少なくとも一体を、コンタクト列に沿って配置したグランド回路形成用のグランドプレートに電気的に接続するグランド接続部材を設け、そのグランド接続部材を介してグランドプレートに接続したコンタクトをグランドコンタクトとして機能させ、グランド接続部材の取付け位置や数を適宜に変更することによってグランド回路の接続経路の短縮化などの最適化を可能とし、コネクタに入射する電磁波ノイズやコネクタから放射される電磁波ノイズに対する良好なシールド作用や複数のコンタクトについての特性インピーダンス調整作用を容易に得るとともに、信号伝送用のシグナルコンタクトとグランド回路形成用のグランドコンタクトとを同一の形状又は構造とすることを可能として生産性の向上を図るように構成したものであるから、簡易な構成で、コネクタに入射する電磁波ノイズやコネクタから放射される電磁波ノイズに対するシールド作用や複数のコンタクトについての特性インピーダンスの調整作用を良好に得ることができ、特に小型化又は低背化された電気コネクタにおける信頼性を低廉かつ大幅に向上させることができる。
【図面の簡単な説明】
【００１８】
【図１】本発明の第１の実施形態にかかるプラグコネクタを、相手方のリセプタクルコネクタに嵌合させた状態を表した外観斜視説明図である。
【図２】図１に示されたプラグコネクタとリセプタクルコネクタとの嵌合状態を表した平面説明図である。
【図３】図２中のIII部を拡大して表した部分拡大説明図である。
【図４】図３中の IV - IV 線に沿った横断面説明図である。
【図５】図３中の V - V 線に沿った横断面説明図である。
【図６】図１〜図５に示された電気コネクタのリセプタクルコネクタ単体の構造を表した外観斜視説明図である。
【図７】図１〜図５に示された電気コネクタを構成する本発明の第１の実施形態にかかるプラグコネクタ単体の構造を表した分解斜視説明図である。
【図８】図７に示された本発明の第１の実施形態にかかるプラグコネクタに用いられているグランド接続部材の構造を表した外観斜視説明図である。
【図９】本発明の第２の実施形態にかかるプラグコネクタの単体を表した外観斜視説明図である。
【図１０】本発明の第３の実施形態にかかるプラグコネクタの単体を表した外観斜視説明図である。
【図１１】本発明の第３の実施形態にかかるリセプタクルコネクタの単体を表した外観斜視説明図である。
【図１２】本発明の第４の実施形態にかかるプラグコネクタの単体を表した外観斜視説明図である。
【発明を実施するための最良の形態】
【００１９】
以下、本発明をプラグコネクタに適用した実施の形態を、図面に基づいて詳細に説明する。
【００２０】
図１〜図５に示されている電気コネクタの嵌合体は、本発明にかかる一実施形態としてのプラグコネクタ１０と、相手方のリセプタクルコネクタ２０とを鉛直方向に嵌合させた垂直嵌合型の電気コネクタを構成するものである。これらのプラグコネクタ１０及びリセプタクルコネクタ２０は、プリント配線基板どうしを接続するものであって、図示を省略したプリント配線基板上に半田接続によりそれぞれ実装されている。そして、リセプタクルコネクタ２０に対して、コネクタ高さ方向である上方位置から、本発明にかかる一実施形態としてのプラグコネクタ１０が、図示下方向、すなわち前記プリント配線基板の平面に略直交する方向に向かって押し込まれるようにして挿入され、それによって両コネクタ１０，２０どうしが嵌合され、連結された状態に保持されるようになっている。
【００２１】
なお、上述したようにして嵌合された両コネクタ１０，２０は、例えばプラグコネクタ１０をコネクタ高さ方向である上方に向かって引き抜くことによって抜去することも可能である。
【００２２】
これら両コネクタ１０，２０のうちのリセプタクルコネクタ２０は、図６にも示されているように、細長状の筐体をなすようにして延在する絶縁ハウジング２１を備えており、その絶縁ハウジング２１の内部には、当該絶縁ハウジング２１の長手方向に沿って複数のコンタクト（導電端子）２２が、適宜のピッチ間隔をなして多極状に配列されていることによってコンタクト列を形成している。以下、このコンタクト２２の多極配列方向をコネクタ長手方向と呼ぶ。
【００２３】
上述した複数のコンタクト２２からなるコンタクト列は、互いに対面するように二列にわたって配置されているが、各コンタクト列を構成しているコンタクト２２どうしは、互いに略同一の折り曲げ形状をなすように形成されていて、一方のコンタクト列を構成しているコンタクト２２と、他方のコンタクト列を構成しているコンタクト２２とは、プリント配線基板の平面に略平行な水平方向において互いに対称的に向き合うように配置されている。そして、一方側のコンタクト列のコンタクト２２と、他方側のコンタクト列のコンタクト２２との間の空間部分に、プラグコネクタ１０を受け入れる嵌合凹部が形成されている。
【００２４】
上述したコンタクト２２のそれぞれは、プリント配線基板上に形成された導電路（図示省略）に沿うように延在して半田接合される半田接続脚部２２ａを有しているとともに、その半田接続脚部２２ａから図４の上方に向かって立ち上がる形状を備えている。そして、そのコンタクト２２が立ち上がった上端寄りの部分が、略「く」の字状をなすように折り曲げ成形されており、その頂点部分に、後述するプラグコネクタ１０のコンタクト１２に接触する接点部２２ｂが設けられている。これらのコンタクト２２は、信号伝送用のシグナルコンタクト２２Ｂ、又は接地用のグランドコンタクト２２Ａのいずれかを構成するものであるが、この点については本発明の要部であるので後段において詳細に説明することとする。
【００２５】
また、絶縁ハウジング２１には、上述した嵌合凹部を取り囲む外周壁部が立壁状をなすように設けられているが、その絶縁ハウジング２１の外周壁部が、伝送信号のシールドを行うシールドシェル２３により覆われている。このシールドシェル２３は、導電性の薄板状金属板を適宜の形状に折り曲げ成形したもので、当該シールドシェル２３の長手方向、つまり前記コンタクト２２の多極配列方向における両端部分には、平板状をなす基板接続部２３ａがそれぞれ設けられている。それらの各基板接続部２３ａは、プリント配線基板上に半田接続されることによって、リセプタクルコネクタ２０の全体をプリント配線基板上に強固に保持するとともにグランド接続を行う機能を有している。
【００２６】
一方、上述したリセプタクルコネクタ２０に嵌合される本発明の一実施形態にかかるプラグコネクタ１０には、図７にも示されているように、横断面略Ｔ字形状をなすように形成された絶縁ハウジング１１が、コネクタ長手方向に沿って細長状に延在するように設けられている。すなわち、この絶縁ハウジング１１は、略平板状をなす基板部１１ａの中心位置から支柱部１１ｂが突出する構成を備えたものであり、その支柱部１１ｂが、前述したリセプタクルコネクタ２０の嵌合凹部に対応する嵌合凸部になされている。
【００２７】
嵌合凸部を構成している支柱部１１ｂの両側面には、コネクタ長手方向に沿って複数のコンタクト（導電端子）１２が、適宜のピッチ間隔で多極状をなすようにそれぞれ配列されており、それら複数のコンタクト１２からなるコンタクト列が形成されている。その複数のコンタクト１２からなるコンタクト列は、上述した嵌合凸部を形成している支柱部１１ｂを間に挟んで、互いに対面するように二列にわたって設けられている。各コンタクト列を構成しているコンタクト１２どうしは、互いに略同一の折り曲げ形状をなすように形成されているが、一方のコンタクト列を構成しているコンタクト１２と、他方のコンタクト列を構成しているコンタクト１２とは、プリント配線基板の平面に略平行な水平方向において互いに対称的に向き合うように配置されている。
【００２８】
上述したコンタクト１２のそれぞれは、プリント配線基板上に形成された導電路（図示省略）に沿うように延在して半田接合される半田接続脚部１２ａを有しているとともに、その半田接続脚部１２ａから図４の下方に向かって立ち下がる形状を備えている。そして、そのコンタクト１２が立ち下がる途中の部分に、前述したリセプタクルコネクタ２０のコンタクト２２の接点部２２ｂが接触する接点部（図示省略）が、例えば凹溝状をなすように設けられている。これらのコンタクト１２は、信号伝送用のシグナルコンタクト１２Ｂ、又は接地用のグランドコンタクト１２Ａのいずれかを構成するものであるが、この点についても、本発明の要部として後段において詳細に説明することとする。
【００２９】
また、上述したコンタクト１２の半田接続脚部１２ａに対してコンタクト長手方向の外方側に隣接して基板接続部１２ｃが平板状をなすように設けられている。それらの各基板接続部１２ｃは、プリント配線基板上に半田接続されることによって、プラグコネクタ１０の全体をプリント配線基板上に強固に保持するとともにグランド接続を行う機能を有している。
【００３０】
前述したようにプラグコネクタ１０には、複数のコンタクト１２からなるコンタクト列が二列にわたって設けられているが、それらの両コンタクト列どうしの間部分には、導電性の金属板状部材から形成されたグランドプレート１３が配置されている。このグランドプレート１３は、グランド回路を形成する部材であるが、前記絶縁ハウジング１１の支柱部１１ｂの内部に装着されている。より具体的に説明すると、上述した絶縁ハウジング１１の支柱部１１ｂの中心部分には、コネクタ長手方向に沿って細長状に延在するプレート取付けスリット１１ｃが細幅状をなすように形成されており、そのプレート取付けスリット１１ｃの内部に向かってグランドプレート１３が、上述した基板部１１ａ側から挿入されることによって、当該グランドプレート１３がコネクタ長手方向に沿って延在するように固定されている。
【００３１】
このとき、グランドプレート１３の挿入方向の前端縁部（図７の下端縁部）には、複数体（３体）の挿入固定片１３ａが、挿入方向に突出するように形成されており、それらの各挿入固定片１３ａが、前記絶縁ハウジング１１のプレート取付けスリット１１ｃの底面部に形成されたプレート固定スリット１１ｄに圧入されることによって、グランドプレート１３の全体の固定が行われるようになっている。
【００３２】
一方、前記グランドプレート１３の挿入方向の後端縁部（図７の上縁縁部）には、複数体（８体）のグランド接続部材１４が、コネクタ長手方向に適宜の間隔をなして取り付けられている。これらのグランド接続部材１４のそれぞれは、上述した複数のコンタクト１２のうちの一体をグランドプレート１３に電気的に接続するように構成されたものであって、前記グランドプレート１３の挿入方向の後端縁部（図７の上端縁部）に複数（８体）設けられた固定溝１３ｂの内部に差し込むようにして取り付けられている。
【００３３】
それらの各固定溝１３ｂは、前記グランドプレート１３の挿入方向の後端縁部（図７の上端縁部）から当該グランドプレート１３の挿入方向（図７の下方向）に向かって適宜の深さにわたって細幅状に切り込むようにして形成されており、その固定溝１３ｂの上方開口側から、グランド接続部材１４の中心基部１４ａが、図示下方側に向かって圧入状態で挿入されることにより固定されるようになっている。
【００３４】
そのグランド接続部材１４は、特に図８に示されているように、薄板状の導電性金属部材から形成されたものであって、上述した固定溝１３ｂの内部に中心基部１４ａが挿入されていくと、その中心基部１４ａが前記固定溝１３ｂの底部（図示下端部）に当接されて位置決めされるようになっている。このときの中心基部１４ａからは、前記固定溝１３ｂに沿って延在する係止アーム１４ｂが片持ち状をなすように延出しており、その係止アーム１４ｂの途中部分に圧入係合部１４ｃが設けられている。この圧入係合部１４ｃは、固定溝１３ｂの溝幅方向（コネクタ長手方向）に段差形状をなすように形成されていて、その段差形状をなす圧入係合部１４ｃの凸面が、前記固定溝１３ｂの片側壁面に圧接することによって、前記グランド接続部材１４の全体がグランドプレート１３に固定されるとともに電気的に接続されるようになっている。
【００３５】
また、このグランド接続部材１４に設けられた中心基部１４ａからは、プラグコネクタ１０の嵌合方向（図４及び図７の下方向）に向かって一対のプレート側アーム部材１４ｄ，１４ｄが片持ち状をなすように突出している。これらのプレート側アーム部材１４ｄ，１４ｄは、グランドプレート１３を厚さ方向の両側から挟むように略対称な位置関係をなして延在しており、その延出端側部分（図４及び図７の下端側部分）、つまり片持ち構造の自由端側部分には、接点部１４ｅ，１４ｅが互いに近接する方向に突出するように形成されている。
【００３６】
これら両接点部１４ｅ，１４ｅどうしの隙間は、前記グランドプレート１３の厚さより僅かに小さくなるように形成されており、これら両接点部１４ｅ，１４ｅどうしの隙間がグランドプレート１３により押し広げられたときの上述したプレート側アーム部材１４ｄ，１４ｄの弾性変位作用によって、当該接点部１４ｅ，１４ｅがグランドプレート１３の表面に圧接されるようになっている。
【００３７】
さらに、上述したグランド接続部材１４の中心基部１４ａからは、プラグコネクタ１０の抜去方向（図４及び図７の上方向）に向かって一対のコンタクト側アーム部材１４ｆ，１４ｆが片持ち状をなすように突出している。これらのコンタクト側アーム部材１４ｆ，１４ｆは、上述した係止アーム１４ｂの両側に略対称な位置関係で延在するように設けられており、その延出端側部分（図４及び図７の上端側部分）、つまり片持ち構造の自由端側部分には、接点部１４ｇ，１４ｇが互いに離間する方向に突出するように形成されている。
【００３８】
これら両接点部１４ｇ，１４ｇどうしの間の距離は、上述した一対のコンタクト１２，１２どうしの隙間より僅かに大きくなるように形成されており、これら両接点部１４ｇ，１４ｇどうしの間の距離がコンタクト１２，１２により押し縮められたときの上述したコンタクト側アーム部材１４ｆ，１４ｆの弾性変位作用によって当該接点部１４ｇ，１４ｇがコンタクト１２，１２の表面に圧接されるようになっている。そして、このように複数体（８体）のグランド接続部材１４の接点部１４ｇが圧接された複数体（１６体）のコンタクト１２は、グランド接続部材１４を介してグランドプレート１３に電気的に接続されることから、接地用のグランドコンタクト１２Ａを構成することとなり、残りの他のコンタクト１２は、信号伝送用のシグナルコンタクト１２Ｂを構成している。
【００３９】
なお、前述したようにしてグランドプレート１３の端縁部に取り付けられたグランド接続部材１４は、絶縁ハウジング１１の一部をなすように設けられた多数の仕切板１１ｅどうしの間部分に配置される構成になされており、それらの各仕切板１１ｅでグランド接続部材１４がコネクタ長手方向の前後方向に支持されることよって、倒れ込みなどが防止されるようになっている。
【００４０】
このような構成を有する本実施形態にかかるプラグコネクタ１０においては、複数のコンタクト１２のうちのグランド接続部材１４を介してグランドプレート１３に接続されたものが、グランド回路を形成するグランドコンタクト１２Ａとして機能し、その他のコンタクト１２は、信号伝送用のシグナルコンタクト１２Ｂとして機能することとなる。また、リセプタクルコネクタ２０においては、複数のコンタクト２２のうち、プラグコネクタ１０のグランドコンタクト１２Ａに接続されたものが、グランド回路を形成するグランドコンタクト２２Ａとして機能し、その他のコンタクト２２は、信号伝送用のシグナルコンタクト２２Ｂとして機能することとなる。
【００４１】
従って、グランド接続部材１４の取付け位置や数を適宜に変更することによって、グランド回路の接続経路の短縮化などの最適化が可能となり、コネクタに入射する電磁波ノイズやコネクタから放射される電磁波ノイズに対する良好なシールド作用や複数のコンタクトについての特性インピーダンス調整作用が容易に得られる。また、信号伝送用のシグナルコンタクト１２Ｂとグランド回路形成用のグランドコンタクト１２Ａとを、同一の形状又は構造のコンタクト１２とすることが可能となるために、生産性の向上が図られる。
【００４２】
また、本実施形態におけるグランド接続部材１４は、グランドプレート１３に対して圧入により取り付けられているが、その際、グランドプレート１３に対する圧入係合部１４ｃがグランド接続部材１４に設けられていることから、グランドプレート１３に対して圧入されたグランド接続部材１４が確実に固定される。
【００４３】
さらに、本実施形態におけるグランド接続部材１４においては、弾性変形可能に形成された片持ち状のプレート側アーム部材１４ｄ、及びコンタクト側アーム部材１４ｆの自由端側部分に、グランドプレート１３及びコンタクト１２に圧接される接点部１４ｅ，１４ｇがそれぞれ設けられており、それらの片持ち状アーム部材１４ｄ，１４ｆの接点部１４ｅ，１４ｇが、グランドプレート１３及びコンタクト１２に圧接されることによって電気的に安定した状態で接続される。
【００４４】
さらにまた、本実施形態におけるグランドプレート１３には、グランド接続部材１４を挿入して保持する固定溝１３ｂが設けられていることから、そのグランドプレート１３における固定溝１３ｂ以外の部位を、当該固定溝１３ｂに沿って延長・拡大することが可能となり、その分、コネクタに入射する電磁波ノイズやコネクタから放射される電磁波ノイズに対するシールド作用や複数のコンタクトについての特性インピーダンスの調整作用が向上される。
【００４５】
なお、本実施形態におけるグランドプレート１３には、グランド接続部材１４を挿入して保持する固定溝１３ｂが設けられているが、固定溝１３ｂを設けない構成とすることも可能である。例えば、上述した実施形態と同一の構成部材に対して同一の符号を付した図９にかかる第２の実施形態では、前記第１実施形態における固定溝１３ｂの深さ分高さを低くしたグランドプレート１３’が用いられている。すなわち、前記実施形態のようにグランドプレート１３に固定溝１３ｂを設ける場合は、グランド接続部材１４を挿入する位置が固定溝１３ｂの位置で規制されてしまうことから、グランド接続部材１４の挿入位置を変更する際に、その変更後の位置に固定溝１３ｂを設けたグランドプレート１３を別途に準備して交換する必要があるが、本実施形態にかかるグランドプレート１３’であれば、グランドプレートを交換する必要は無く、グランド接続部材１４の取付け位置や数をより一層自由に変更することが可能となる。
【００４６】
一方、上述した第１の実施形態における構成部材に対応する構成部材に対して「２０」を加えた符号を付した図１０及び図１１にかかる第３の実施形態は、多極配列されたコンタクトの数（芯数）が増大された場合の電気コネクタに関するものであって、両コネクタ３０，４０の絶縁ハウジング３１，４１が、コンタクト３２，４２の多極配列方向（長手方向）に長尺状化されている。そして、リセプタクルコネクタ４０の絶縁ハウジング４１の長手方向略中央部分には、梁状をなす補強連結部４４が仕切板をなすように設けられていて、その補強連結部４４の長手方向両側に嵌合凹部が二箇所に分離して設けられている。
【００４７】
そして、上述したリセプタクルコネクタ４０の二箇所の嵌合凹部に対応して、プラグコネクタ３０にも二箇所の嵌合凸部が設けられており、それら二箇所の嵌合凸部のそれぞれにグランドプレート３３，３３がそれぞれ取り付けられている。これらの各グランドプレート３３には、他方のグランドプレート３３に対する連結部３３ｃが設けられているとともに、その連結部３３ｃと一体的に基板接続部３３ｄが設けられている。そして、グランドプレート３３に設けられた固定溝３３ｂの内部に、上述した第１の実施形態と同様なグランド接続部材１４が差し込むようにして取り付けられる。
【００４８】
このような構成を有する第３の実施形態においても、上述した第１の実施形態と同様な作用・効果を得ることができるが、特にこの第２の実施形態においては、長手方向に二箇所に分割されたコネクタ嵌合部どうしが補強連結部４４を介して連結された構造になされているため、前述した第１の実施形態にかかる電気コネクタを単に延長させた場合よりも全体の剛性が向上することとなり、例えば絶縁ハウジングが反り返るような変形が防止されるようになっている。
【００４９】
なお、本実施形態におけるグランドプレート３３には、グランド接続部材３４を挿入して保持する固定溝３３ｂが設けられているが、固定溝３３ｂを設けない構成とした図１２にかかる第４の実施形態のように、前記第３実施形態における固定溝３３ｂの深さ分高さを低くしたグランドプレート３３’を用いることも可能である。本実施形態にかかるグランドプレート３３’であれば、グランドプレートを交換する必要は無く、グランド接続部材３４の取付け位置や数をより一層自由に変更することが可能となる。
【００５０】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００５１】
例えば、上述した実施形態におけるグランド接続部材は、グランドプレートに圧入されているが、絶縁ハウジングにインサート成形することも可能である。
【００５２】
また、上述した各実施形態は、コンタクト列が２列にわたって設けられた電気コネクタに本発明を適用したものであるが、１列のものや３列以上のコンタクト列を有する電気コネクタに対しても本発明は同様に適用することが出来る。
【００５３】
さらに、上述した各実施形態は、プラグコネクタに本発明を適用したものであるが、相手方のリセプタクルコネクタに対しても本発明は同様に適用することが可能であり、さらに本発明は、上述した実施形態のような垂直嵌合型の電気コネクタに限定されるものではなく、水平嵌合型の電気コネクタに対しても同様に適用することが可能である。
【００５４】
さらに、本発明にかかる電気コネクタは、上述した実施形態のような基板どうしの接続を行うものに限定されることはなく、ケーブルと基板、或いはケーブルどうしを電気的に接続する多種多様な電気コネクタに対しても本発明は同様に適用することができる。
【産業上の利用可能性】
【００５５】
以上のように本発明は、電気機器に使用される多種多様な配線基板どうしを接続するための電気コネクタに対して広く適用することが可能である。
【符号の説明】
【００５６】
１０  プラグコネクタ
１１  絶縁ハウジング
１１ａ  基板部
１１ｂ  支柱部
１１ｃ  プレート取付けスリット
１１ｄ  プレート固定スリット
１１ｅ  仕切板
１２  コンタクト（導電端子）
１２ａ  半田接続脚部
１２ｃ  基板接続部
１２Ａ  グランドコンタクト
１２Ｂ  シグナルコンタクト
１３  グランドプレート
１３ａ  挿入固定片
１３ｂ  固定溝
１３'  グランドプレート
１４  グランド接続部材
１４ａ  中心基部
１４ｂ  係止アーム
１４ｃ  圧入係合部
１４ｄ  プレート側アーム部材
１４ｅ  接点部
１４ｆ  コンタクト側アーム部材
１４ｇ  接点部
２０  リセプタクルコネクタ
２１  絶縁ハウジング
２２  コンタクト（導電端子）
２２ａ  半田接続脚部
２２ｂ  接点部
２２Ａ  グランドコンタクト
２２Ｂ  シグナルコンタクト
２３  シールドシェル
２３ａ  基板接続部
３０  プラグコネクタ
３１  絶縁ハウジング
３２  コンタクト
３３  グランドプレート
３３ｃ  連結部
３３ｄ  基板接続部
３３'  グランドプレート
４０  リセプタクルコネクタ
４１  絶縁ハウジング
４２  コンタクト
４４  補強連結部
【図１】
2011146210.tif 000003
【図２】
2011146210.tif 000004
【図３】
2011146210.tif 000005
【図４】
2011146210.tif 000006
【図５】
2011146210.tif 000007
【図６】
2011146210.tif 000008
【図７】
2011146210.tif 000009
【図８】
2011146210.tif 000010
【図９】
2011146210.tif 000011
【図１０】
2011146210.tif 000012
【図１１】
2011146210.tif 000013
【図１２】
2011146210.tif 000014